(57)【要約】【課題】自動原稿搬送機構によって搬送される原稿を読取る搬送原稿読取の場合、光源の光が透過する読取窓の下方に前記光源が停止した状態に光を照射することによって、読取すべき原稿が多い場合読取窓が高温になることを防ぎ、火傷の虞から利用者を保護することが出来る原稿読取装置及び画像形成装置を提供する。【解決手段】読取窓７を、原稿台２０より所定距離（ΔＧ）上方に離れて配置して光源９と読取窓７との間隔を、光源９と原稿台２０との間隔より、長くし、搬送原稿読取の場合における読取窓７の温度上昇を抑制する。【選択図】図４
2009284334.tif 000002
【特許請求の範囲】
【請求項１】
光源と、原稿を載置し、前記光源の光を透過させて照射する原稿台と、自動原稿搬送機構と、該自動原稿搬送機構により搬送される原稿に前記光源の光を透過させて照射する読取窓とを備える原稿読取装置において、
前記読取窓を前記原稿台より上方に配置していることを特徴とする原稿読取装置。  
【請求項２】
前記原稿からの反射光を集光するレンズを備え、
前記原稿台及び読取窓は板状であり、
前記原稿台の上面及び前記読取窓の上面の間隔は、前記レンズの焦点深度範囲内であることを特徴とする請求項１に記載の原稿読取装置。
【請求項３】
前記原稿からの反射光を受光して電気信号に変換する撮像素子と、
該撮像素子が出力する電気信号の増幅率可変の増幅部と、
前記原稿台に載置された原稿を読取る載置原稿読取、及び前記自動原稿搬送機構により搬送される原稿を読取る搬送原稿読取のいずれを行うか判定する判定手段とを備え、
前記判定手段が搬送原稿読取を行うと判定した場合、前記増幅部は、載置原稿読取の場合より高増幅とするように構成していることを特徴とする請求項２に記載の原稿読取装置。
【請求項４】
前記レンズを備えた光学ユニットと、
該光学ユニットを原稿の搬送方向に移動させ、前記原稿からの反射光の前記レンズまでの経路を変更する移動手段と
を備えていることを特徴とする請求項２から請求項３に記載の原稿読取装置。
【請求項５】
前記移動手段は、前記判定手段が搬送原稿読取を行うと判定した場合、載置原稿読取の場合より前記経路が短くなるように、前記光学ユニットを移動させるように構成していることを特徴とする請求項４に記載の原稿読取装置。
【請求項６】
請求項１から請求項５までの何れか一つに記載の原稿読取装置と、
該原稿読取装置が読取った画像をシートに形成する画像形成手段と
を備えていることを特徴とする画像形成装置。  
【発明の詳細な説明】
【技術分野】
【０００１】
本発明は、光源からの光を照射し、原稿の画像を読取る原稿読取装置及び該原稿読取装置を備えた画像形成装置に関する。
【背景技術】
【０００２】
従来、原稿の画像を読取る手法は、原稿台の上に載置された原稿を読取る方式（載置原稿読取）と、自動原稿搬送機構により搬送される原稿を読取る方式（搬送原稿読取）がある。
【０００３】
図１１は従来における原稿読取装置の一部の縦断面を模式的に示す模式的部分断面図である。前記載置原稿読取及び搬送原稿読取が共に可能な従来の原稿読取装置おいては、原稿が載置される原稿トレイと、該原稿トレイから原稿一枚ずつ搬送する原稿搬送手段と、原稿が排出される原稿排出トレイとを備えている。前記原稿搬送手段は搬送経路４（一点鎖線矢印）の上流側の上流側ローラ４１及び下流側ローラ４２を有している。また、原稿に光りを照射する光源９と、載置原稿読取の際に読取すべき原稿を載置する透光板材２０と、透光板材２０の面方向に沿って透光板材２０と面一になるように並置され、搬送原稿読取の際に光源９の光を透過させて原稿に光を照射する読取窓７とを備えている。(例えば、特許文献１参照)
【０００４】
載置原稿読取又は搬送原稿読取の際、原稿からの反射光は第１ミラー１０、第２ミラー１４及び第３ミラー１３に導光され、結像光学系５０によって集光されてＣＣＤ１２（撮像素子）に結像される。載置原稿読取の場合は光源９及び第１ミラー１０からなるランプユニット１８が副走査方向（図１１中、白抜き矢印の方向）に移動しながら原稿に対する照射を行うが、搬送原稿読取の場合はランプユニット１８が読取窓７の下方に停止した状態で原稿に対する照射を行う。
【特許文献１】特開２００２−３１４７６０号公報
【発明の開示】
【発明が解決しようとする課題】
【０００５】
しかしながら、上述したような従来の原稿読取装置は、搬送原稿読取の際に読取窓７が過熱されるという問題があった。つまり、載置原稿読取の場合はランプユニット１８が副走査方向に移動しながら原稿に対する照射を行うので、例えば読取すべき原稿が多い場合であっても透光板材２０の温度が高くなることはないが、搬送原稿読取の場合はランプユニット１８が読取窓７の下方に停止した状態で原稿に対する照射を続けるので、読取すべき原稿が多い場合は読取窓７が高温になり、例えば、利用者が前記読取直後に読取窓７の手入れをする際、火傷を負う虞があるという問題があった。また、特許文献１の画像読取装置はこのような問題に対応することが出来ない。
【０００６】
本発明は、斯かる事情に鑑みてされたものであり、その目的とするところは、搬送原稿読取の場合に光源の光が透過する読取窓を、載置原稿読取の場合に光源の光が透過する原稿台より上方に離れて配置することにより、読取すべき原稿が多い場合であっても読取窓が高温になることを防ぎ、火傷の虞から利用者を保護することが出来る原稿読取装置及び画像形成装置を提供することにある。
【課題を解決するための手段】
【０００７】
本発明に係る原稿読取装置は、光源と、原稿を載置し、前記光源の光を透過させて照射する原稿台と、自動原稿搬送機構と、該自動原稿搬送機構により搬送される原稿に前記光源の光を透過させて照射する読取窓とを備える原稿読取装置において、前記読取窓を前記原稿台より上方に配置していることを特徴とする。  
【０００８】
本発明にあっては、前記読取窓を前記原稿台より上方に離れて配置して光源との間隔を前記原稿台より広くし、前記自動原稿搬送機構により前記読取窓の上側を通って搬送される原稿に対し、前記光源が前記読取窓の下方で停止した状態で、前記読取窓を介して光を照射する場合であっても、前記読取窓の温度が高く上昇することを防ぐ。
【０００９】
本発明に係る原稿読取装置は、前記原稿からの反射光を集光するレンズを備え、前記原稿台及び読取窓は板状であり、前記原稿台の上面及び前記読取窓の上面の間隔は、前記レンズの焦点深度範囲内であることを特徴とする。
【００１０】
本発明にあっては、前記原稿台の上面から前記読取窓の上面までの間隔が、焦点を合わせた像側の結像点を前後に移動した場合、焦点が合っている範囲である焦点深度範囲内になるように前記読取窓を設け、該読取窓が光源から遠く上方に離れることによる前記レンズにおける焦点のズレに対応する。
【００１１】
本発明に係る原稿読取装置は、前記原稿からの反射光を受光して電気信号に変換する撮像素子と、該撮像素子が出力する電気信号の増幅率可変の増幅部と、前記原稿台に載置された原稿を読取る載置原稿読取、及び前記自動原稿搬送機構により搬送される原稿を読取る搬送原稿読取のいずれを行うか判定する判定手段とを備え、前記判定手段が搬送原稿読取を行うと判定した場合、前記増幅部は、載置原稿読取の場合より高増幅とするように構成していることを特徴とする。
【００１２】
本発明にあっては、前記判定手段が搬送原稿読取を行うと判定した場合、前記増幅部が、前記載置原稿読取の場合より前記電気信号の増幅率を高くし、前記読取窓を光源から遠く上方に離れて設けることによって、前記撮像素子が受光する反射光の光量減少に対応する。
【００１３】
本発明に係る原稿読取装置は、前記レンズを備えた光学ユニットと、該光学ユニットを原稿の搬送方向に移動させ、前記原稿からの反射光の前記レンズまでの経路を変更する移動手段とを備えていることを特徴とする。
【００１４】
本発明にあっては、例えば何らかの原因によって焦点のズレが発生した場合、前記自動原稿搬送機構による原稿の搬送方向に、前記光学ユニットを前記移動手段が移動させて、前記原稿からの反射光の前記レンズまでの経路を調整することにより、焦点を合わせる。
【００１５】
本発明に係る原稿読取装置は、前記移動手段は、前記判定手段が搬送原稿読取を行うと判定した場合、載置原稿読取の場合より前記経路が短くなるように、前記光学ユニットを移動させるように構成していることを特徴とする。
【００１６】
本発明にあっては、前記判定手段が搬送原稿読取を行うと判定した場合、前記の経路を載置原稿読取の場合より短くするように、前記光学ユニットを前記移動手段が移動させ、前記読取窓を前記原稿台より上方に、光源から遠く離れて設けることによる前記搬送原稿読取及び載置原稿読取の場合における経路の長さ変化に対応する。
【００１７】
本発明に係る画像形成装置は、前述の本発明のいずれか一つに記載の原稿読取装置と、該原稿読取装置が読取った画像をシートに形成する画像形成手段とを備えていることを特徴とする。  
【００１８】
本発明にあっては、前記原稿読取装置が原稿の画像データを読取り、該画像データに基づく画像を、前記画像形成手段がシートに形成する。
【発明の効果】
【００１９】
本発明によれば、搬送原稿読取の場合に光源の光が透過する読取窓を、載置原稿読取の場合に光源の光が透過する原稿台より上方に離れて配置し、光源との間隔を広くするので、読取すべき原稿が多い場合であっても読取窓の温度が高く上昇することを防ぎ、火傷の虞から利用者を保護することが出来る。
【発明を実施するための最良の形態】
【００２０】
以下、図面に基づいて本発明に係る原稿読取装置及び画像形成装置を具体的に説明する。本発明に係る原稿読取装置及び画像形成装置として、コピー機能、印刷機能、ファクシミリ機能等を有するデジタル複合機を例に挙げて説明する。
【００２１】
図１は本発明に係るデジタル複合機の内部構成を示す模式的縦断面図であり、図２は要部構成を示すブロック図である。本発明に係るデジタル複合機は、ＣＰＵ１１を備えており、このＣＰＵ１１にはバスＮを介してＲＯＭ１１１、ＲＡＭ１１２、操作パネル１６、原稿読取部１（原稿読取装置）、通信部１９、画像処理部１５、画像形成部１７、給紙部２１等のハードウェアが接続されている。
【００２２】
図３は原稿読取部１の要部構成を示す模式的縦断面図であり、図４は原稿読取部１の一部の縦断面を模式的に示す模式的部分断面図であり、図５は原稿読取部１の要部構成を示すブロック図である。原稿読取部１は、複数枚のシートからなる原稿を順次的に搬送するための自動原稿搬送機構２６と、読取るべき原稿を一枚ずつ整列させた状態で載置し、後述の光源９の光を透過させて照射するための原稿台２０と、自動原稿搬送機構２６により搬送される原稿に光源９の光を照射させるための読取窓７とを備えている。
【００２３】
自動原稿搬送機構２６は、読取すべき原稿をフェイスアップの状態で積層するための原稿トレイ２と、原稿トレイ２に積層された原稿を上から１枚ずつ取込むためのピックアップローラ３５と、ピックアップローラ３５により取り込まれた原稿を、読取窓７を経由して排紙する搬送経路４（一点鎖線矢印）と、搬送経路４において読取窓７の前後に配設された上流側ローラ４１及び下流側ローラ４２とを備えている。また、上流側ローラ４１から下流側ローラ４２までに原稿が搬送される際、搬送される原稿の上方から搬送をガイドするガイド部材８と、上流側ローラ４１から読取窓７までの原稿の搬送を、搬送される原稿の下方からガイドする上流側シュート６と、読取窓７から下流側ローラ４２までの原稿の搬送を、搬送される原稿の下方からガイドする下流側シュート５を備えている。なお、画像の読取が済んだ原稿が排出される排紙トレイ２７と、画像を読取った後に原稿を排紙トレイ２７へ排出する排紙ローラ２８と、原稿トレイ２上の原稿の有無を検知する原稿検知センサ３とを備えている。
【００２４】
また、原稿読取部１は、読取すべき原稿に光を照射する光源９及び前記原稿からの反射光を反射する第１ミラー１０を備えるランプユニット１８と、第１ミラー１０からの反射光の光路を１８０°変更するために、反射面が相互に直交するように配置された一対のミラー（第２ミラー１４及び第３ミラー１３）からなるミラーユニット２２と、ミラーユニット２２によって反射された前記原稿からの反射光を集光する結像光学系５０及び結像光学系５０を介して入射される反射光に応じて結像されるイメージセンサのＣＣＤ（Charge Coupled Device）１２を備える光学ユニット２３とを備えている。ＣＣＤ１２は数千個のフォトセルを備えており、各フォトセルは光電変換を行い、入射した光をその光量に応じたアナログ電気信号に変換して出力する。ＣＣＤ１２から出力されたアナログ電気信号は、増幅部２４によって増幅されて変換部２５に送られ、変換部２５によってデジタル信号に変換する。なお、増幅部２４は、原稿台２０に載置した原稿を読取る載置原稿読取の場合より、自動原稿搬送機構２６により搬送される原稿を読取る搬送原稿読取の場合、前記アナログ電気信号の増幅率を高めるように構成されている。その後、変換部２５によって得られたデジタル信号に対して、原稿読取時の光源の配光特性、ＣＣＤ１２の感度ムラ等の補正、ガンマ補正等を施すことによりデジタル形式の画像データを生成する。
【００２５】
ランプユニット１８は駆動部（図示せず）を備え、前記載置原稿読取の場合は、副走査方向（図３中、白抜き矢印の方向）に移動しながら原稿に光を照射するが、前記搬送原稿読取の場合は、読取窓７の下方に停止した状態で搬送される原稿に光を照射する。また、ミラーユニット２２はランプユニット１８に同期して移動し、原稿の反射光が結像するまでの経路において、原稿の被照射面から光学ユニット２３の結像光学系５０までの距離（以下、光経路距離という）を一定に維持し、光経路距離変化による光量変化、焦点ズレ等を防止する。また、光学ユニット２３を必要に応じて副走査方向に移動させる移動手段３０を備えている。ランプユニット１８、ミラーユニット２２及び光学ユニット２３は、直方体形状の受容部材２９内に設けられている。
【００２６】
受容部材２９は上面に、矩形の第１開口部３６及び短冊形の第２開口部３１を設けており、第１開口部３６及び第２開口部３１の縁の受容部材２９の内側には、掛止鍔３６ａ，３１ａが夫々周設されている。原稿台２０は第１開口部３６に倣う矩形の板材であり、長手方向が副走査方向に沿うように、掛止鍔３６ａによって第１開口部３６に掛止されている。読取窓７は第２開口部３１に倣う短冊形の板材であり、長手方向が走査方向に沿うように、掛止鍔３１ａによって第２開口部３１に掛止されている。読取窓７は、原稿台２０の面に対して垂直な方向であって上方にΔＧだけ隔てて配設されており、原稿台２０に並設されている。つまり、原稿台２０の上面及び読取窓７の上面の間隔がΔＧであり、原稿台２０又は読取窓７の下方に光源９が位置した場合、光源９から原稿台２０又は読取窓７までの夫々の間隔は、読取窓７の方がΔＧだけ長いこととなり、光源９からの熱による温度の上昇を抑制できる。
【００２７】
図６はＭＴＦと焦点深度との関係を示すグラフである。図中縦軸はＭＴＦ（％）を示しており、横軸は焦点深度（ｍｍ）を示す。ＭＴＦ（Ｍｏｄｕｌａｔｉｏｎ  Ｔｒａｎｓｆｅｒ  Ｆｕｎｃｔｉｉｏｎ）は光学系の解像度を表す数値であって、像のコントラストの再現率で評価したものであり、焦点深度は、焦点を合わせた像側の結像点を前後に移動した場合、焦点が合っている範囲である。例えば、ＭＴＦが３０％である場合、焦点深度は４．２ｍｍであるので、４．２ｍｍの範囲内では像側の結像点を移動させても、解像度（ＭＴＦ）を悪くすることなく維持することが出来る。つまり、本発明に係るデジタル複合機においては、例えばＭＴＦを３０％に設定されている場合、前記ΔＧが４．２ｍｍ以下である場合、解像度（ＭＴＦ）に影響与えることはない。例えば、ＭＴＦが２５％である場合、焦点深度は５．２ｍｍであるので、前記ΔＧを５．２ｍｍまですることができる。説明の便宜上、以下においては、ΔＧが４．２ｍｍであるものとする。
【００２８】
画像処理部１５は、原稿読取部１において取得した画像データ、及び  通信部１９を通じて受信した印刷データを処理するＡＳＩＣを備える。原稿読取部１にて取得した画像データについては印刷処理に適したデータへの変換を行う。すなわち、画像処理部１５が取得する画像データはＣＣＤ１２が出力する電気信号（輝度信号）に係るデータを濃度データに変換する処理を行う。さらに、コントラストなどの画質調整、下地濃度についての補正、画像のぼやけ、粒状性劣化等を防ぐために空間周波数特性についての補正、文字の再現性を高めるための鮮鋭強調処理等を実行するようにしてもよい。
【００２９】
操作パネル１６は、利用者による実行指示を受付ける操作部１６ａと、利用者に対して報知すべき情報を表示する表示部１６ｂとを備える。操作部１６ａは、機能の切替操作キー、スタートキー、テンキー等の各種のハードウェアキーを備え、所定機能の実行に係る利用者の実行指示を受付ける。表示部１６ｂは液晶ディスプレイ及びタッチパネルにより構成されており、操作部１６ａを通じて入力された入力値等が表示される。また、前記タッチパネルには、倍率操作、記録用紙選択等に係るソフトキーが設けられ、利用者の指先が何れかのソフトキーに触れることにより、当該ソフトキーの実行指示を受付ける。
【００３０】
通信部１９は、例えばＬＡＮケーブルを介してルータ、スイッチングハブ等に接続され、パソコン、サーバ等の情報処理装置及び他のデジタル複合機によって形成されたネットワークと接続されている。通信部１９は、ネットワークを介して外部の情報処理装置又は他のデジタル複合機との画像データの送受信を行う。
【００３１】
給紙部２１は、複数種の記録用紙を収容する給紙カセット、該給紙カセットに収容された記録用紙を一枚ずつ取り込むピックアップローラ等を備え、前記給紙カセットに収容された記録用紙を１枚ずつ取り込んで画像形成部１７へ搬送する。
【００３２】
ＣＰＵ１１はバスＮを介して上述したハードウェアを制御する。また、ＣＰＵ１１は原稿検知センサ３から検知結果を取得し、載置原稿読取を行うか又は搬送原稿読取を行うかを判定する。ＲＯＭ１１１には上述した各ハードウェアを制御する制御プログラム、前記載置原稿読取又は搬送原稿読取の場合において、光学ユニット２３を副走査方向に移動させるべき距離等が格納されており、ＣＰＵ１１が必要に応じて前記制御プログラムをＲＡＭ１１２上にロードして実行することにより、デジタル複合機全体の動作を制御するように構成されている。
【００３３】
以下、光学ユニット２３を移動させる移動手段３０について説明する。図７は光学ユニット２３及び移動手段３０の構成を模式的に示す平面図、図８は側面図、図９は移動手段３０による光学ユニット２３の移動を説明するための説明図である。
【００３４】
光学ユニット２３は、矩形である受容部材２９の底壁の長手方向の一端部であって、読取窓７（図９中に点線で表示）の下側に設けられた取付板４０の上に取り付けられている。取付板４０は矩形であって、長手方向が副走査方向と平行するように、受容部材２９の底壁と対向して配置されている。ミラーユニット２２に反射された原稿からの反射光が結像光学系５０を介して入射できるようにするため、光学ユニット２３は、結像光学系５０がミラーユニット２２を向く状態で取付板４０の一端部に取り付けられている。また、光学ユニット２３は、結像光学系５０から副走査方向（図中白抜き矢印方向）に所定距離隔てた位置にＣＣＤ１２が配置されている。ＣＣＤ１２は略一直線上に配置したフォトセルを数千個備えており、ＣＣＤ取付板１２１の一面に取り付けられている。ＣＣＤ取付板１２１は前記一面が結像光学系５０と対向するように、取付板４０の面に対して垂直な方向に立設されている。ＣＣＤ取付板１２１の下方の縁には、結像光学系５０からの光の受光角度を適宜保持するための保持板１２２が連設されている。保持板１２２は取付板４０と対向するように、取付板４０に取り付けら、ＣＣＤ取付板１２１及び取付板４０の間に介在している。一方、ＣＣＤ取付板１２１の他面にはＣＣＤ基板１２３が取り付けられ、ＣＣＤ１２からの信号を処理する。
【００３５】
取付板４０の他端部側には移動手段３０が設けられている。移動手段３０は、パルスモーターを備えた駆動部３１と、駆動部３１によって回転する歯車３２と、駆動部３１のパルスモーター（図示せず）の回転を歯車３２に連動させる枢軸３４と、歯車３２と噛合するラックギヤ３３とを備えている。
【００３６】
ラックギヤ３３は矩形の板材の上面に歯が形成されており、長手方向を取付板４０の長手方向と平行にして取付板４０の他端部に取り付けられている。また、ラックギヤ３３は一の長辺側の縁が取付板４０の一の長辺側の縁と整合するように配置されている。ラックギヤ３３と噛合する歯車３２は円柱状であって、周面上に歯が形成されている。歯車３２は枢軸３４によって軸方向に貫通されている。つまり、枢軸３４は軸方向が取付板４０の短手方向に延びるように配置されている。枢軸３４の一端部には歯車３２が嵌着されており、枢軸の３４の他端は駆動部３１のパルスモーターの軸に固定されている。歯車３２、枢軸３４及び前記パルスモーターの軸は同心的に設けられている。駆動部３１は、パルスモーターと、これを収納する直方体形状のケース３１ａを備えており、取付板４０の外側に適宜隔てた位置に設けられている。
【００３７】
一方、本発明に係るデジタル複合機は前記ΔＧが４．２ｍｍである。従って、搬送原稿読取の場合における光経路距離が、載置原稿読取の場合の光経路距離より前記ΔＧ（４．２ｍｍ）だけ長くなるが、移動手段３０は光学ユニット２３を副走査方向に移動させ、前期光経路距離を調整することが出来る。つまり、搬送原稿読取の場合は、移動手段３０のパルスモーターを正回転させて取付板４０を移動させることにより、前記光経路距離を短縮する方向（図中、Ａ方向）に光学ユニット２３（又は結像光学系５０）を移動させる。また、載置原稿読取の場合は、移動手段３０のパルスモーターを負回転させて取付板４０を逆方向に移動させることにより、前記光経路距離を元に戻す方向（図中、Ｂ方向）に光学ユニット２３（又は結像光学系５０）を移動させ、搬送原稿読取の場合が載置原稿読取の場合より、前記光経路距離が前記ΔＧ（４．２ｍｍ）だけ長くなることによる解像度、倍率等の変化に対応する。
【００３８】
以下、搬送原稿読取の場合及び載置原稿読取の場合における本発明に係るデジタル複合機の動作を説明する。説明の便宜上、載置原稿読取の場合における光学ユニット２３の位置を基準位置といい、載置原稿読取の場合におけるランプユニット１８の照射開始位置をホームポジションという。
【００３９】
図１０は本発明に係るデジタル複合機の動作を示すフローチャートである。利用者は原稿台２０又は原稿トレイ２上に原稿を載置して、操作部１６ａに備える機能の切替操作キーを操作してコピー機能を選択し、スタートキーを押圧する。利用者のこの操作によって、ＣＰＵ１１はコピー実行の指示を受け付ける（Ｓ１０１）。
【００４０】
次いでＣＰＵ１１は、載置原稿読取を実行すべきか又は搬送原稿読取を実行すべきかを判定する（Ｓ１０２）。該判定は原稿検知センサ３の検知結果に基づいて行う。つまり、原稿検知センサ３によって原稿トレイ２上に原稿があると検知された場合、ＣＰＵ１１は搬送原稿読取を実行すべきと判定し、原稿トレイ２上に原稿がないと検知された場合、載置原稿読取を実行すべきと判定する。
【００４１】
ＣＰＵ１１は搬送原稿読取を実行すべきと判定した場合（Ｓ１０２：ＹＥＳ）、駆動部３１のパルスモーターを正回転させ、取付板４０を移動させることにより、光学ユニット２３をΔＧ（４．２ｍｍ）だけ副走査方向（図８中、Ａ方向）に移動させる（Ｓ１０３）。（図９中、二点鎖線で表示）
【００４２】
次いでＣＰＵ１１は、ランプユニット１８を移動させ（Ｓ１０４）、読取窓７の下方に位置させる。その後、光源９は読取窓７に対して照射を行い（Ｓ１０５）、自動原稿搬送機構２６によって読取窓７の上を通過して搬送される原稿に、読取窓７を介して光が照射される。この場合、原稿によって反射された反射光は、第１ミラー１０、第２ミラー１４及び第３ミラー１３により導光され、ＣＣＤ１２にて結像する。
【００４３】
この場合、ＣＰＵ１１は増幅部２４に指示することにより、ＣＣＤ１２から出力されるアナログ電気信号の増幅率を、載置原稿読取の場合より高め（Ｓ１０６）、光源９から読取窓７までの間隔がΔＧだけ広くなることにより、ＣＣＤ１２が受光する光量の低下に対応する。例えば、ΔＧが４．２ｍｍである場合に光量の低下は５％〜１０％であり、増幅率を１．０５〜１．１にすれば良い。
【００４４】
次いでＣＰＵ１１は、原稿読取が終了したか否かについて判定する（Ｓ１０７）。該判定は、例えば、搬送原稿読取においては、原稿検知センサ３によって原稿トレイ２上に原稿があると検知され、搬送原稿読取を開始した後、原稿トレイ２上に原稿がないと検知された場合、原稿読取が終了したと判定する。
【００４５】
ＣＰＵ１１は、原稿読取が終了していないと判定した場合（Ｓ１０７：ＮＯ）、原稿読取の終了まで原稿読取を続ける。一方、原稿読取が終了したと判定した場合（Ｓ１０７：ＹＥＳ）、ランプユニット１８をホームポジションに移動させ（Ｓ１０８）、処理を終了する。
【００４６】
一方、原稿検知センサ３によって原稿トレイ２上に原稿がないと検知され、ＣＰＵ１１が載置原稿読取を実行すべきと判定した場合（Ｓ１０２：ＮＯ）、光学ユニット２３を基準位置に移動させる（Ｓ１０９）。つまり、ＣＰＵ１１は駆動部３１のパルスモーターを負回転させ、取付板４０を移動させることにより、光学ユニット２３を基準位置に移動させる。
【００４７】
次いでＣＰＵ１１は、ランプユニット１８をホームポジションに移動させる（Ｓ１１０）。その後、光源９は副走査方向に移動しながら原稿台２０に対して照射を行う（Ｓ１１１）。原稿台２０上に載置された原稿に、原稿台２０を介して光が照射される。原稿によって反射された反射光は、第１ミラー１０、第２ミラー１４及び第３ミラー１３により導光され、ＣＣＤ１２にて結像する。
【００４８】
以降の処理（Ｓ１０７、Ｓ１０８）においては、上述したものと同様であり、詳しい説明を省略する。
【図面の簡単な説明】
【００４９】
【図１】本発明に係るデジタル複合機の内部構成を示す模式的縦断面図である。
【図２】本発明に係るデジタル複合機の要部構成を示すブロック図である。
【図３】本発明に係るデジタル複合機の原稿読取部の要部構成を示す模式的縦断面図である。
【図４】本発明に係るデジタル複合機の原稿読取部の一部の縦断面を模式的に示す模式的部分断面図である。
【図５】本発明に係るデジタル複合機の原稿読取部の要部構成を示すブロック図である。
【図６】ＭＴＦと焦点深度との関係を示すグラフである。
【図７】本発明に係るデジタル複合機の光学ユニット及び移動手段の構成を模式的に示す平面図である。
【図８】本発明に係るデジタル複合機の光学ユニット及び移動手段の構成を模式的に示す側面図である。
【図９】本発明に係るデジタル複合機の移動手段による光学ユニットの移動を説明するための説明図である。
【図１０】本発明に係るデジタル複合機の動作を示すフローチャートである。
【図１１】従来における原稿読取装置の一部の縦断面を模式的に示す模式的部分断面図である。
【符号の説明】
【００５０】
１  原稿読取部（原稿読取装置）
３  原稿検知センサ
７  読取窓
９  光源
１１  ＣＰＵ
１２  ＣＣＤ（撮像素子）
１７  画像形成部
２０  原稿台  
２４  増幅部
３０  移動手段
２３  光学ユニット
２６  自動原稿搬送機構
５０  結像光学系
【図１】
2009284334.tif 000003
【図２】
2009284334.tif 000004
【図３】
2009284334.tif 000005
【図４】
2009284334.tif 000006
【図５】
2009284334.tif 000007
【図６】
2009284334.tif 000008
【図７】
2009284334.tif 000009
【図８】
2009284334.tif 000010
【図９】
2009284334.tif 000011
【図１０】
2009284334.tif 000012
【図１１】
2009284334.tif 000013